【事件の表示】
　特願２０１３−５２７９６９「スイッチング電源装置」拒絶査定不服審判事件〔平成２５年　２月１４日国際公開、ＷＯ２０１３／０２１８５７、請求項の数（７）〕について、次のとおり審決する。
【結　論】
　原査定を取り消す。
　本願の発明は、特許すべきものとする。
【理　由】
第１　手続の経緯
　本願は、平成２４年７月３１日（国内優先権主張、平成２３年８月１１日）の出願であって、平成２６年９月１７日付けの拒絶理由通知に対し、平成２６年１１月２１日付けで手続補正がされたが、平成２７年５月２０日付けで拒絶査定がされ、これに対し、平成２７年８月２４日に拒絶査定不服審判が請求され、同時に手続補正がされたものである。
　
第２　平成２７年８月２４日付けの手続補正（以下、「本件補正」という。）の適否
１．補正の内容
　本件補正は特許請求の範囲についてするものであって、補正前の請求項１を補正後の請求項１とする補正（以下、「補正事項１」という）を含んでおり、その補正前の請求項１及び補正後の請求項１の記載は次のとおりである（下線部は補正により変更された箇所を示す）。
　
（１）補正前の請求項１
「入力電源電圧が入力される電源電圧入力部と、
　直流電圧が出力される直流電圧出力部と、
　１次巻線、および２次巻線を備えたトランスと、
　前記１次巻線に直列接続されて、オンにより前記電源電圧入力部の電圧を前記１次巻線に印加するローサイドスイッチング素子と、
　前記ローサイドスイッチング素子を制御するスイッチング制御回路と、
　前記２次巻線から出力される電圧を整流平滑して前記直流電圧出力部へ出力電圧を出力する整流平滑回路と、を備え、
　前記スイッチング制御回路は、
　電流検出端子、フィードバック端子、ゼロ電圧タイミング検出端子、スイッチング素子制御信号出力端子、および、前記電流検出端子に印加される電圧が前記フィードバック端子に印加される電圧に達することにより、前記ローサイドスイッチング素子をターンオフする駆動信号を前記スイッチング素子制御信号出力端子から出力する手段を備えた電流モード制御用スイッチング制御ＩＣを有し、
　前記出力電圧に基づく帰還電圧信号を発生し、前記フィードバック端子へ印加する帰還電圧信号発生回路と、
　前記トランスの電圧極性の反転を検出したときに、前記ゼロ電圧タイミング検出端子に入力された信号を受けて前記ローサイドスイッチング素子をターンオンさせる駆動電圧信号を出力する駆動電圧信号出力手段と、
　前記駆動電圧信号が出力されてからの時間経過にともなって電圧が変化する基準電圧を発生させ、前記基準電圧を前記電流検出端子へ入力することで、電圧−時間変換回路として作用する基準電圧発生回路と、
　を備え、
　電流波形が時間に比例しない電力変換動作において、前記電流モード制御用スイッチング制御ＩＣを利用した、スイッチング電源装置。」
　
（２）補正後の請求項１
「入力電源電圧が入力される電源電圧入力部と、
　直流電圧が出力される直流電圧出力部と、
　１次巻線、および２次巻線を備えたトランスと、
　前記１次巻線に直列接続されて、オンにより前記電源電圧入力部の電圧を前記１次巻線に印加するローサイドスイッチング素子と、
　前記ローサイドスイッチング素子を制御するスイッチング制御回路と、
　前記２次巻線から出力される電圧を整流平滑して前記直流電圧出力部へ出力電圧を出力する整流平滑回路と、を備え、
　前記スイッチング制御回路は、
　
本来、電力変換回路におけるスイッチング素子のオン期間に前記電力変換回路を流れる電流が電圧信号として検出されて入力される
　前記出力電圧に基づく帰還電圧信号を発生し、前記フィードバック端子へ印加する帰還電圧信号発生回路と、
　前記トランスの電圧極性の反転を検出したときに、前記ゼロ電圧タイミング検出端子に入力された信号を受けて前記ローサイドスイッチング素子をターンオンさせる駆動電圧信号を出力する駆動電圧信号出力手段と、
　前記駆動電圧信号が出力されてからの時間経過にともなって電圧が
単調増加
　を備え、
　
前記ローサイドスイッチング素子のオン期間に前記ローサイドスイッチング素子を流れる電流が時間経過にともなって単調増加しない
　
２．補正の適否
　補正前の請求項１に記載した「電流モード制御用スイッチング制御ＩＣ」が備える「電流検出端子」、「基準電圧発生回路」が発生する「変化する基準電圧」を、「
本来、電力変換回路におけるスイッチング素子のオン期間に前記電力変換回路を流れる電流が電圧信号として検出されて入力される
単調増加
　また、補正前の請求項１に記載した「電流波形が時間に比例しない電力変換動作において、前記電流モード制御用スイッチング制御ＩＣを利用した」を、「
前記ローサイドスイッチング素子のオン期間に前記ローサイドスイッチング素子を流れる電流が時間経過にともなって単調増加しない
　さらに、特許法第１７条の２第３項、第４項に違反するところはない。
　そこで、本件補正後の前記請求項１に記載された発明（以下、「補正発明」という。）が特許法第１７条の２第６項において準用する同法第１２６条第７項の規定に適合するか（特許出願の際独立して特許を受けることができるものであるか）について以下に検討する。
　
（１）補正発明
　補正発明は、上記「第２　１．（２）補正後の請求項１」に記載した、特許請求の範囲の請求項１に記載した事項により特定されるとおりのものである。
　
（２）刊行物の記載事項
　原査定の拒絶の理由に引用された特開２００８−２８９３３６号公報（以下、「刊行物１」という。）には、次の技術事項が記載されている。
　
「【０００１】
　この発明は、トランスの１次側に交互にオン／オフする第１・第２のスイッチング素子を備えた共振型のスイッチング電源装置に関するものである。」
　
「【００４２】
《第１の実施形態》
　図３は第１の実施形態に係るスイッチング電源装置の回路図である。
　図３に示すように、このスイッチング電源装置は、電源入力部とインダクタＬｒとトランスＴの１次巻線ｎｐと少なくとも１つのキャパシタＣｒと第１のスイッチ回路Ｓ１とからなる直列回路を備えるとともに、前記インダクタＬｒと前記トランスＴの１次巻線ｎｐと少なくとも１つのキャパシタＣｒとからなる直列回路に対して第２のスイッチ回路Ｓ２を並列に接続している。
【００４３】
　前記第１のスイッチ回路Ｓ１は、第１のスイッチング素子Ｑ１、第１のダイオードＤ１、および第１のキャパシタＣ１の並列接続回路で構成していて、前記第２のスイッチ回路Ｓ２は、第２のスイッチング素子Ｑ２、第２のダイオードＤ２、および第２のキャパシタＣ２の並列接続回路で構成している。
【００４４】
　この第１のスイッチング素子および第２のスイッチング素子をＭＯＳＦＥＴ等の電界効果型トランジスタで構成することによって、その寄生ダイオードをＤ１、Ｄ２、寄生キャパシタをＣ１、Ｃ２として利用することが可能である。このことによってこれらのダイオードＤ１、Ｄ２およびキャパシタＣ１、Ｃ２を個別部品としての実装を省略することができる。このようにすると、部品点数が削減できる。
【００４５】
　前記トランスＴには１次巻線ｎｐの電圧に略比例した電圧を発生する第１の駆動巻線ｎｂ１および第２の駆動巻線ｎｂ２を備えている。そして、第１の駆動巻線ｎｂ１の一端を電源入力部の一端（入力電圧Ｖｉのマイナス端）に接続し、他端を第２の整流平滑回路ＲＳ２を介して第１のスイッチング素子Ｑ１の制御電圧（ゲート入力電圧）を制御する第１の制御回路ＳＣ１に接続することによって、第１の制御回路ＳＣ１が第２の整流平滑回路ＲＳ２から供給される直流電圧によって駆動されるように構成している。
【００４６】
　また、第２の駆動巻線ｎｂ２の一端を、第１のスイッチ回路Ｓ１と第２のスイッチ回路Ｓ２の接続点に接続し、他端を第２のスイッチング素子Ｑ２の制御電圧（ゲート入力電圧）を制御する第２の制御回路ＳＣ２に接続している。
【００４７】
　第２の制御回路ＳＣ２には、第２の駆動巻線ｎｂ２の一端と第２のスイッチング素子Ｑ２のゲートとの間を接続する、抵抗Ｒ１３およびコンデンサＣ１３からなる直列回路を接続している。これにより、第２のスイッチング素子Ｑ２は第２の駆動巻線ｎｂ２に発生する電圧によりターンオンする。また、第２の制御回路ＳＣ２には、抵抗Ｒ１２、コンデンサＣ１２、およびトランジスタＴｒ１からなるターンオフ回路ＴＣを設け、第２のスイッチング素子Ｑ２がターンオンした後、ターンオフ回路ＴＣにより設定された所定の時間後に第２のスイッチング素子Ｑ２が強制的にターンオフされるように構成している。
【００４８】
　このような構成により、第１のスイッチング素子Ｑ１のオン期間にトランスＴの１次巻線ｎｐおよびコンデンサＣｒにエネルギーを蓄え、第１のスイッチング素子Ｑ１のオフ期間にトランスＴの２次巻線ｎｓから出力を得て、第１のスイッチング素子Ｑ１のオン時間を制御することにより出力電圧Ｖｏを制御するフライバック型コンバータとして作用する。
【００４９】
　なお、上記インダクタＬｒはトランスＴの漏れインダクタンスで構成する。これにより、外付け部品としてのインダクタを特に設ける必要はなく、トランスＴの漏れインダクタによるエネルギー損失が低減できる。
【００５０】
　この第１の実施形態に係るスイッチング電源装置の構成および作用上の特徴は次のとおりである。
　（１）第１のスイッチング素子Ｑ１は、直流電圧で動作するロジック回路（ＩＣ）からなる第１の制御回路ＳＣ１により動作する。具体的には、第１の制御回路ＳＣ１は第１の駆動巻線ｎｂ１に発生する交流電圧の極性が反転するタイミングを検出して、これに基づいたタイミングで第１のスイッチング素子Ｑ１をターンオンする。
【００５１】
　（２）第１の制御回路ＳＣ１は第１のスイッチング素子Ｑ１に流れる電流を検出して、これに基づいて第１のスイッチング素子Ｑ１をターンオフする。
【００５２】
　（３）第２の制御回路ＳＣ１は、第２の駆動巻線ｎｂ２に発生する交流電圧により第２のスイッチング素子Ｑ２をターンオンする。
【００５３】
　（４）第２の制御回路は第２の駆動巻線ｎｂ２に発生する交流電圧によって動作し、第２のスイッチング素子Ｑ２をターンオフする。
【００５４】
　（５）第１の制御回路ＳＣ１は、第１のスイッチング素子Ｑ１に流れる電流に基づく信号と出力電圧Ｖｏに基づく信号とを比較してスイッチング素子Ｑ１をターンオフすべきタイミングを決定し、それにより出力電圧Ｖｏを制御する。
【００５５】
　図４は図３に示したスイッチング電源装置の回路各部の波形図である。以下、図３および図４を参照して回路動作を説明する。図４において、ｖｇｓ１、ｖｇｓ２はスイッチング素子Ｑ１、Ｑ２のオン・オフを表す波形、ｖｄｓ１、ｖｄｓ２はそれぞれキャパシタＣ１、Ｃ２の両端電圧波形、ｉｄ１、ｉｄ２、ｉｓはそれぞれスイッチ回路Ｓ１、Ｓ２、２次巻線ｎｓの電流波形である。
【００５６】
　このスイッチング電源装置の定格動作における動作は、１スイッチング周期Ｔｓにおいて時刻ｔ１〜ｔ６の５つの動作状態に分けることができる。以下に各状態に分けて回路動作について説明する。
【００５７】
　（１）状態１　ｓｔａｔｅ１　［ｔ１〜ｔ２］
　初めにダイオードＤ１が導通していて、第１の駆動巻線ｎｂ１に発生する交流電圧の極性が反転したことを検出した第１の制御回路ＳＣ１は、ダイオードＤ１が導通している期間に第１のスイッチング素子Ｑ１をターンオンして第１のスイッチング素子Ｑ１のゼロ電圧スイッチング動作を行う。
【００５８】
　入力電圧ＶｉからコンデンサＣｒの電圧を引いた電圧が１次巻線ｎｐに印加され、励磁電流ｉｍはほぼ直線的に増加してトランスＴは励磁エネルギーを蓄え、同時にコンデンサＣｒは充電されて静電エネルギーを蓄える。
【００５９】
　第１の制御回路ＳＣ１は、電流検出抵抗Ｒ１１の両端電圧（第１のスイッチング素子Ｑ１に流れる電流を検出した信号電圧）と出力電圧Ｖｏに応じた信号電圧とを比較して、出力電圧Ｖｏを一定に制御するように第１のスイッチング素子Ｑ１のターンオフタイミングを決め、時刻ｔ２で第１のスイッチング素子Ｑ１をターンオフする。これによりトランス電圧は反転する。
【００６０】
　（２）状態２　ｓｔａｔｅ２　［ｔ２〜ｔ３］
　１次巻線ｎｐを流れていた電流によりキャパシタＣ１を充電されるとともにキャパシタＣ２が放電される。２次側のキャパシタＣｓは放電される。時刻ｔ３で電圧ｖｄｓ２が０となるとダイオードＤ２が導通し、２次側のダイオードＤｓが導通する。
【００６１】
　（３）状態３　ｓｔａｔｅ３　［ｔ３〜ｔ４］
　ダイオードＤ２が導通している期間中に第２の駆動巻線ｎｂ２の電圧により第２のスイッチング素子Ｑ２をターンオンしてゼロ電圧スイッチングを行う。漏れインダクタンス（インダクタＬｒ）とコンデンサＣｒは共振し、オン期間に蓄えられたトランスＴの励磁エネルギーとコンデンサＣｒの静電エネルギーは２次巻線ｎｓから放出される。電流ｉｓは、直線的に減少する励磁電流ｉｍから電流ｉｄ２の共振電流を引いた波形と相似な曲線波形となる。時刻ｔ４で励磁電流ｉｍと上記共振電流が等しくなると電流ｉｓは０となり、コンデンサＣｒとインダクタＬｒの共振は終了する。
【００６２】
　（４）状態４　ｓｔａｔｅ４　［ｔ４〜ｔ５］
　コンデンサＣｒの両端電圧ｖｃにより励磁電流ｉｍは直線的に減少して負となり、時刻ｔ５で第２のスイッチング素子Ｑ２がターンオフしてトランス電圧は反転する。
【００６３】
　（５）状態５　ｓｔａｔｅ５　［ｔ５〜ｔ６］
　１次側では、１次巻線ｎｐに流れる電流によりキャパシタＣ１が放電されるとともに、キャパシタＣ２が充電されて、２次側ではキャパシタＣｓが充電される。時刻ｔ６で電圧ｖｄｓ１は０となり、ダイオードＤ１が導通する。第１の制御回路ＳＣ１は、第１の駆動巻線ｎｂ１に発生する交流電圧の極性が反転したことを検出する。
【００６４】
　定常状態において１スイッチング周期あたり上記（１）〜（５）の動作を行い、次のスイッチング周期以降、同様の動作を繰り返す。」
　
　以上の記載（特に、図３に関する記載）により、刊行物１には、次の発明（以下、「引用発明」という。）が記載されていると認められる。
　
「入力電源電圧が入力される電源電圧入力部と、
　直流電圧が出力される直流電圧出力部と、
　１次巻線、および２次巻線を備えたトランスと、
　前記１次巻線に直列接続されて、オンにより前記電源電圧入力部の電圧を前記１次巻線に印加する第１のスイッチング素子Ｑ１と、
　前記第１のスイッチング素子Ｑ１を制御するスイッチング制御回路と、
　前記２次巻線から出力される電圧を整流平滑して前記直流電圧出力部へ出力電圧を出力する整流平滑回路と、を備え、
　前記スイッチング制御回路は、
　電流検出端子、フィードバック端子、ゼロ電圧タイミング検出端子、スイッチング素子制御信号出力端子、および、前記電流検出端子に印加される電圧が前記フィードバック端子に印加される電圧に達することにより、前記第１のスイッチング素子Ｑ１をターンオフする駆動信号を前記スイッチング素子制御信号出力端子から出力する手段を備えた第１の制御回路ＳＣ１を有し、
　前記出力電圧に基づく帰還電圧信号を発生し、前記フィードバック端子へ印加する帰還電圧信号発生回路と、
　前記トランスの電圧極性の反転を検出したときに、前記ゼロ電圧タイミング検出端子に入力された信号を受けて前記第１のスイッチング素子Ｑ１をターンオンさせる駆動電圧信号を出力する駆動電圧信号出力手段と、
　前記第１のスイッチング素子Ｑ１を流れる電流を検出した信号電圧を前記電流検出端子へ入力する回路と、
　を備えた、スイッチング電源装置。」
　
（３）対比
　補正発明と引用発明とを対比する。
　引用発明の「第１のスイッチング素子Ｑ１」、「第１の制御回路ＳＣ１」は、それぞれ、補正発明の「ローサイドスイッチング素子」、「電流モード制御用スイッチング制御ＩＣ」に相当する。
　また、引用発明の第１の制御回路ＳＣ１の電流検出端子は、「本来、電力変換回路におけるスイッチング素子のオン期間に前記電力変換回路を流れる電流が電圧信号として検出されて入力される」ものであるといえる。
　引用発明の「前記第１のスイッチング素子Ｑ１を流れる電流を検出した信号電圧を前記電流検出端子へ入力する回路」は、図４をみると、駆動電圧信号が出力されてからの時間経過にともなって電圧が単調増加する電圧を検出する回路とはいえるが、補正発明のような、「前記ローサイドスイッチング素子のオン期間に前記ローサイドスイッチング素子を流れる電流が時間経過にともなって単調増加しない電力変換動作において、前記電流モード制御用スイッチング制御ＩＣを利用」するための「電圧−時間変換回路として作用する基準電圧発生回路」といえるものではない。
　したがって、両者の一致点、相違点は次のとおりである。
　
［一致点］
　入力電源電圧が入力される電源電圧入力部と、
　直流電圧が出力される直流電圧出力部と、
　１次巻線、および２次巻線を備えたトランスと、
　前記１次巻線に直列接続されて、オンにより前記電源電圧入力部の電圧を前記１次巻線に印加するローサイドスイッチング素子と、
　前記ローサイドスイッチング素子を制御するスイッチング制御回路と、
　前記２次巻線から出力される電圧を整流平滑して前記直流電圧出力部へ出力電圧を出力する整流平滑回路と、を備え、
　前記スイッチング制御回路は、
　本来、電力変換回路におけるスイッチング素子のオン期間に前記電力変換回路を流れる電流が電圧信号として検出されて入力される電流検出端子、フィードバック端子、ゼロ電圧タイミング検出端子、スイッチング素子制御信号出力端子、および、前記電流検出端子に印加される電圧が前記フィードバック端子に印加される電圧に達することにより、前記ローサイドスイッチング素子をターンオフする駆動信号を前記スイッチング素子制御信号出力端子から出力する手段を備えた電流モード制御用スイッチング制御ＩＣを有し、
　前記出力電圧に基づく帰還電圧信号を発生し、前記フィードバック端子へ印加する帰還電圧信号発生回路と、
　前記トランスの電圧極性の反転を検出したときに、前記ゼロ電圧タイミング検出端子に入力された信号を受けて前記ローサイドスイッチング素子をターンオンさせる駆動電圧信号を出力する駆動電圧信号出力手段と、
　を備えた、スイッチング電源装置。
　
［相違点］
　補正発明は、「前記駆動電圧信号が出力されてからの時間経過にともなって電圧が単調増加する基準電圧を発生させ、前記基準電圧を前記電流検出端子へ入力することで、電圧−時間変換回路として作用する基準電圧発生回路と、を備え、前記ローサイドスイッチング素子のオン期間に前記ローサイドスイッチング素子を流れる電流が時間経過にともなって単調増加しない電力変換動作において、前記電流モード制御用スイッチング制御ＩＣを利用した」ものであるのに対し、引用発明はそうではない点。
　
（４）判断
　上記相違点について検討する。
　引用発明は、第１のスイッチング素子Ｑ１を流れる電流を検出した信号電圧を第１の制御回路ＳＣ１の電流検出端子へ入力し、それにより第１のスイッチング素子Ｑ１のターンオフを制御するものであり、この第１のスイッチング素子Ｑ１を流れる電流を検出した信号電圧に代えて、駆動電圧信号が出力されてからの時間経過にともなって電圧が単調増加する基準電圧を発生させ、前記基準電圧を電流検出端子へ入力するようにすることは、刊行物１には記載乃至示唆はない。
　また、拒絶査定で周知例として引用された特開２００５−２７８３７６号公報には、段落０００５、図７を参照すると、駆動電圧信号が出力されてからの時間経過にともなって電圧が単調増加する基準電圧を発生させるコンデンサと定電流回路で構成された基準電圧発生回路が記載されているが、引用発明において、電流検出端子への入力を、第１のスイッチング素子Ｑ１を流れる電流を検出した信号電圧に代えて、この基準電圧発生回路の電圧を採用する動機付けはない。
　ほかに、引用発明において、電流検出端子への入力を、第１のスイッチング素子Ｑ１を流れる電流を検出した信号電圧に代えて、駆動電圧信号が出力されてからの時間経過にともなって電圧が単調増加する基準電圧を発生させ、前記基準電圧を電流検出端子へ入力するようにする（すなわち、「前記駆動電圧信号が出力されてからの時間経過にともなって電圧が単調増加する基準電圧を発生させ、前記基準電圧を前記電流検出端子へ入力することで、電圧−時間変換回路として作用する基準電圧発生回路と、を備え、前記ローサイドスイッチング素子のオン期間に前記ローサイドスイッチング素子を流れる電流が時間経過にともなって単調増加しない電力変換動作において、前記電流モード制御用スイッチング制御ＩＣを利用した」ものとする）動機付けがあったことを示す証拠はない。
　したがって、補正発明は、引用発明に基づいて、当業者が容易に発明をすることができたとはいえない。
　ほかに、補正発明を特許出願の際独立して特許を受けることができないものというべき理由はない。
　よって、本件補正の補正事項１は、特許法第１７条の２第６項において準用する同法第１２６条第７項の規定に適合する。
　
　本件補正のその余の補正事項についても、特許法第１７条の２第３項ないし第６項に違反するところはない。
　
３．むすび
　本件補正は、特許法第１７条の２第３項ないし第６項の規定に適合する。
　
第３　本願発明
　本件補正は上記のとおり、特許法第１７条の２第３項ないし第６項の規定に適合するから、本願の請求項１−７に係る発明は、本件補正により補正された特許請求の範囲の請求項１―７に記載された事項により特定されるとおりのものである。
　そして、本願については、原査定の拒絶理由を検討してもその理由によって拒絶すべきものとすることはできない。
　また、他に本願を拒絶すべき理由を発見しない。
　よって、結論のとおり審決する。